(57)【要約】【課題】蓋の差し込み部が差し易く、抜け易く、所望のロック力を得ること。【解決手段】上パッキンの下面に隣接する左右後面と前部に長さの違う突起物を構成し、これを化粧箱に収納されている収納物の天面に置き、差し込み部に貫通穴と切り欠きが構成されている化粧箱の差し込み部を差し込む。上パッキンの後面はスプリング機構となっており、差し込み部を差し込んだ際に、この上パッキンは後に移動し、前に戻るために上パッキンの長さの小さい突起物が差し込みの貫通穴に入るために、蓋が所望の力を持ってロックされ、簡単に化粧箱の蓋を閉じることができる。そして、蓋を開ける時には、化粧箱前面に記載されている箇所（上パッキンの長さの小長い突起物が化粧箱内部に当たっている箇所）を化粧箱の紙厚分で化粧箱の内部方向に押すと簡単に開くことができる。また、閉めやすく、開けやすく、所望のロック力があるため、簡易的な自動機対応ができる。【選択図】図１
2020055579.tif 000002
【特許請求の範囲】
【請求項１】
上パッキンにおいて、該上パッキンは該下面の左右後に隣接する側面に分割され、後面は該下面が前後方向に移動できる様にスプリング機能を有することを特徴とする上パッキン。
【請求項２】
該上パッキンは長さの違う突起物を有することを特徴とする請求項１に記載の上パッキン。
【請求項３】
該上パッキンの長さの違う突起部は、長さの差が０＜突起物−突起物≦化粧箱の紙厚を有することを特徴とする請求項１または２に記載の上パッキン。
【請求項４】
該上パッキンは、ロックさせる突起部とロック解除する突起部を有することを特徴とする請求項１乃至３の何れか一項に記載の上パッキン。
【請求項５】
該上パッキンは、下面の左右に隣接する右面、左面先端の稜線が化粧箱２の右裏蓋と左裏蓋に当たり、該上パッキンを上から固定することを特徴とする請求項１乃至４の何れか一項に記載の上パッキン。
【請求項６】
該上パッキンは、前後方向に移動できる様にスプリング機能を持たせるため、折線と直行する段ボールの段目方向があることを特徴とする請求項１乃至５の何れか一項に記載の上パッキン。
【請求項７】
化粧箱において、該化粧箱の差し込みに貫通穴と切り欠きを有することを特徴とする化粧箱。
【請求項８】
該化粧箱の差し込みは、ロックさせる貫通穴とロック解除する切り欠きを有すること特徴とする請求項７に記載の化粧箱。
【請求項９】
該化粧箱は、ロック解除する突起物の当たる位置の化粧箱の前面に開梱指示マーク、又は文章を有することを特徴とする請求項７又は８に記載の化粧箱。
【発明の詳細な説明】
【技術分野】
【０００１】
本発明は、蓋の差し込み部が差し易く、所望のロック力を得、簡易的な自動機対応できる化粧箱に関する。
【背景技術】
【０００２】
従来のロック付き化粧箱は、蓋の差し込み部は差し易く、確実なロック力があるが、箱の蓋を閉じる時にダブルアクションとなるため、自動化対応では複雑な装置が必要となる。
【０００３】
また、サック式化粧箱は、ワンアクションで蓋を閉じることができるが、ロック力が差し込み部の紙の厚さと差し込み箇所の隙間量に依存する。
【０００４】
そのため、所望のロック力を得ようとすると蓋の差し込み部を無理やり、狭い差し込み箇所の隙間に入れるので、差し込みにくいという問題がある。
【０００５】
箱の蓋部をロックする方法としては、特許文献１の様に、箱全体にロック片を持ち、蓋部に係止片を設け、ロック片を押すとロック解除される内容が開示されている。
【先行技術文献】
【特許文献】
【０００６】
【特許文献１】特開２００７−８５６５号公報
【発明の概要】
【発明が解決しようとする課題】
【０００７】
しかし、この先行技術文献で自動化包装を考慮した場合、図６に示す様に、蓋体（６ｂ）の前壁（６ｉ）の裏面にある係止片（６ｋ）が、箱本体（６ａ）の前壁（６ｄ）から手前に折り返したロック片（６ｊ）を乗り越えて、ロック片（６ｊ）の反発力でロックされるため、乗り上げる為に抵抗力が発生する。
【０００８】
また、解除についてもロック片（６ｊ）の中折線（６ｇ）を支点押し込んで両側の係止片とのロックを解除するため、解除される分の押し込み量が必要となり、内容物があると押し込みにくい。
【０００９】
そこで、本発明の目的は、軽い力で化粧箱の蓋を固定し、内容物の有無に関わらず容易に解除できるロック機構を提供することである。
【課題を解決するための手段】
【００１０】
上記の目的を達成するために、本発明は、上パッキンの一辺に突起物を有し、突起物と突起物は同じ長さであり、突起物は、突起物より長いことを特徴とする。
【００１１】
さらに、本発明は、該底面と隣接する背側面を有し、折線によって、スプリング機能を持たせることを特徴とする。
【００１２】
さらに、本発明は、該底面の左右に隣接する側面を有し、折線で折り曲げることによって、化粧箱裏蓋で上パッキン固定させることを特徴とする。
【００１３】
さらに、本発明は、化粧箱の蓋に隣接する差し込みに穴を有し、上パッキンの突起物がこの穴に収まることを特徴とする。
【００１４】
さらに、本発明は、化粧箱の蓋に隣接する差し込みに切り欠きを有し、化粧箱の蓋を閉め、上パッキンの突起物がこの切り欠きに収まることを特徴とする。
【００１５】
さらに、本発明は、化粧箱の前側面上部、上パッキンの突起物
の位置に開梱指示マーク、又は文章を有し、これにより、化粧箱の蓋の開け方が理解できることを特徴とする。
【発明の効果】
【００１６】
本発明によれば、所望するロック力は差し込み部の紙の厚さと差し込み箇所の隙間量との依存に関係ないので、蓋が簡単に閉めることができる。
【００１７】
さらに本発明によれば、差し込みはワンアクションで対応できるので、自動化対応では、複雑な装置が不要とすることができる。
【００１８】
さらに本発明によれば、スプリング機能がある上パッキンを差し込み部が乗り上げて穴に突起物が嵌ることで固定されるため、より軽い力で固定し、解除には中央部を１か所押し込み上パッキンが移動ことで内容物に関わらず容易に解除できる。
【図面の簡単な説明】
【００１９】
【図１】本発明による包装装置の全体図
【図２】本発明による上パッキンの詳細図
【図３】本発明による化粧箱の詳細図
【図４】本発明による上パッキンに関する詳細図
【図５】本発明による化粧箱差し込み部に関する詳細図
【図６】先行技術のロック機構を示す斜視図
【発明を実施するための形態】
【００２０】
以下、本発明を実施するための形態について、図面を参照しながら説明する。
【実施例１】
【００２１】
本発明の第１実施例による包装装置について説明する。
【００２２】
図１は本発明による包装装置の全体図、図２は上パッキンの詳細図、図３は化粧箱の詳細図、図４は上パッキンに関する詳細図、図５は化粧箱差し込み部に関する詳細図である。
【００２３】
１は上パッキンで、Ｂフルート等の段ボールで形成されたシートで下面（１ｇ）、後面（１ｄ）、左面（１ｆ）、右面（１ｅ）、突起物（１ａ、１ｂ）、突起物（１ｃ）にて構成されている。そして、突起物の寸法の差は、０＜突起物（１ｃ）−突起物（１ａ、１ｂ）＜化粧箱の紙厚で構成されている。
【００２４】
図２は上パッキン１と化粧箱２の展開形状であり、１ｍはその段ボールの段目を示す方向で、前後方向に設定してある。
【００２５】
２は化粧箱で、Ｅフルート等の段ボールで形成された略直方体の箱で下面（２ｍ）、前面（２ａ）、後面（２ｂ）、左面（２ｄ）、右面（２ｃ）、蓋（２ｅ）、差し込み（２ｆ）、前面（２ａ）上部に開梱指示用マーク及び記載文（２ｌ）、差し込み（２ｆ）に貫通穴（２ｇ、２ｈ）、差し込み（２ｆ）端部に切り欠き（２ｉ）にて構成されている。
【００２６】
なお、本実施例において記載する、「上／下」、「左／右」、「前／後」の各方向は、この図１に記載した各方向に対応したものとする。
【００２７】
本発明の第１実施例による包装装置は、以上の様に構成されている。
【００２８】
次に、上パッキン１と化粧箱２とをロックさせる過程を説明する。
【００２９】
まず、図２の化粧箱２を組み上げ、化粧箱２の天面部分を開いた状態で化粧箱２に収納物３を入れる。
【００３０】
そして収納された収納物３の上に折線１ｈと１ｉと１ｊを谷折りに９０度折られた上パッキン１を置く。
【００３１】
後面（１ｄ）はスプリング機能を持っているため、上パッキン１の突起物（１ｃ）の先端は、常に化粧箱前面（２ａ）の裏面に接触し、突起物（１ａ、１ｂ）の先端は、常に化粧箱前面（２ａ）の裏面と隙間が生じている。
【００３２】
この状態で化粧箱２の右面（２ｃ）、左面（２ｄ）の上部で隣接している右裏蓋（２ｊ）と左裏蓋（２ｋ）を折れ線（２ｎ、２ｏ）に沿って折り、上パッキン１の右面（１ｅ）と左面（１ｆ）の端部にある稜線（１ｋ、１ｌ）に当て，上パッキン１の動きを止める。
【００３３】
そして、化粧箱２の差し込み（２ｆ）を閉じることによって、上パッキン１の突起物
（１ａ、１ｂ）が化粧箱１の貫通穴（２ｇ、２ｈ）に入るため，化粧箱２の蓋がロックすることができる。
【００３４】
次に化粧箱２と上パッキン１とをロック解除させる過程を説明する。
【００３５】
まず、化粧箱２の前面２ａ上部に記載されている開梱指示用マーク及び記載文（１ｌ）を化粧箱２の内側に軽く押すだけで化粧箱２と上パッキン１とのロック解除ができる。
【００３６】
これは、先述の様に、上パッキンの後面（１ｄ）はスプリング機能を持っていること、そして、突起物の寸法の差は、０＜突起物（１ｃ）−突起物（１ａ、１ｂ）≦化粧箱の紙厚のため、化粧箱の紙厚分を押さなくても、ロックが解除できる機構となっているからである。
【００３７】
この様に、本発明によるロック機構を用いれば、所望するロック力で簡単に化粧箱２の蓋を閉じことができ、なおかつ、簡単に化粧箱２の蓋を開けることができる。
【００３８】
しかし、突起物（１ｃ）＝突起物（１ａ、１ｂ）＝化粧箱の紙厚でも可能ではあるが、突起物（１ａ、１ｂ）が差し込み（２ｆ）の邪魔をするために閉めにくく、ロック解除についても開梱指示マーク、又は文章等（２ｌ）部を強く押さなければならない。
【００３９】
なお本実施例では、化粧箱２と上パッキン１とを別々の部品としているが、例えば、上パッキン１の後面（１ｄ）の先端を化粧箱２に貼り付けても上パッキン１の後面（２ｄ）はスプリング機能を保つことは可能であるため、これに限定されず、様々な応用形態があってもよい。
【符号の説明】
【００４０】
１  上パッキン、１ａ  突起物、１ｂ  突起物、１ｃ  突起物、１ｄ  後面、
１ｅ  右面、１ｆ  左面、１ｇ  下面、１ｈ〜１ｊ  折線、１ｋ〜１ｌ  端部、
１ｍ  段ボールの段目、２  化粧箱、２ａ  前面、２ｂ  後面、２ｃ  右面、
２ｄ  左面、２ｅ  蓋、２ｆ  差し込み、２ｇ  貫通穴、２ｈ  貫通穴、
２ｉ  切り欠き、２ｊ  右裏蓋、２ｋ  左裏蓋、２ｌ  ロック解除マーク／記載文、
２ｍ  下面、２ｎ〜２ｏ  折線、３  収納物
【図１】
2020055579.tif 000003
【図２】
2020055579.tif 000004
【図３】
2020055579.tif 000005
【図４】
2020055579.tif 000006
【図５】
2020055579.tif 000007
【図６】
2020055579.tif 000008